(57)【要約】      （修正有）【課題】外部環境に対してカラーマッチングさせることができるセンサ窓を提供する。【解決手段】センサ窓１２０は、基板と、基板上に配置した１組の層のセットとを有することができる。前記層のセットは、第１屈折率の層のサブセットと、第１屈折率とは異なる第２屈折率のサブセットとを有することができる。層のセットは、感知スペクトルレンジにおける閾値透過率に関連付けることができる。層のセットは、可視スペクトルレンジにおける特定色に関連付けることができ、また可視スペクトルレンジにおける閾値不透過率に関連付けるよう構成することができる。【選択図】図１Ａ
2019191566.tif 000002
【特許請求の範囲】
【請求項１】
センサ窓であって、
基板と、及び
前記基板上に配置した１組の層のセットと
を備え、
前記層のセットは、第１屈折率の層の第１サブセットと、第１屈折率とは異なる第２屈折率の層の第２サブセットとを含み、
前記層のセットは、感知スペクトルレンジにおける閾値透過率に関連付けられており、また
前記層のセットは、可視スペクトルレンジにおける特定色を呈するように構成され、かつ前記可視スペクトルレンジにおける閾値不透明性に関連付けられている
ものである、センサ窓。
【請求項２】
請求項１記載のセンサ窓において、前記層のセットは、約０°〜約３０°の入射角に対して前記特定色の色シフトが１２ΔＥ未満であるように構成されている、センサ窓。
【請求項３】
請求項１記載のセンサ窓において、前記特定色は、特定パターンで、又は前記可視スペクトルレンジにおける特定図像を形成するよう配列される複数色である、センサ窓。
【請求項４】
請求項１記載のセンサ窓において、前記感知スペクトルレンジは約６００ナノメートル〜約２５００ナノメートルである、センサ窓。
【請求項５】
請求項１記載のセンサ窓において、前記感知スペクトルレンジは約８００ナノメートル〜約１６００ナノメートルである、センサ窓。
【請求項６】
請求項１記載のセンサ窓において、前記閾値不透明性は前記可視スペクトルレンジで８０％より大きい、センサ窓。
【請求項７】
請求項１記載のセンサ窓において、前記層のセットは、前記可視スペクトルレンジの少なくとも一部分に対して８０％の反射率より大きいことに関連付けられている、センサ窓。
【請求項８】
請求項１記載のセンサ窓において、前記層のセットは、
ゲルマニウム層、
シリコン-ゲルマニウム層、
水素化シリコン層、
水素化ゲルマニウム層、
水素化シリコン-ゲルマニウム層、
シリコン層、
二酸化ケイ素（ＳｉＯ２）層、
酸化アルミニウム（Ａｌ２Ｏ３）層、
二酸化チタン（ＴｉＯ２）層、
五酸化ニオブ（Ｎｂ２Ｏ５）層、
五酸化タンタル、（Ｔａ２Ｏ５）層、又は
フッ化マグネシウム（ＭｇＦ２）層
のうちの少なくとも１つを含む、センサ窓。
【請求項９】
請求項１記載のセンサ窓において、前記第１屈折率は約３.５より大きい、センサ窓。
【請求項１０】
請求項１記載のセンサ窓において、前記第２屈折率は約２.０未満である、センサ窓。
【請求項１１】
請求項１記載のセンサ窓において、前記層のセットは、前記第１屈折率及び前記第２屈折率とは異なる第３屈折率の層の第３サブセットを含む、センサ窓。
【請求項１２】
請求項１記載のセンサ窓において、前記基板は化学的に強化されたガラスである、センサ窓。
【請求項１３】
請求項１記載のセンサ窓において、さらに、
疎水性層、
親水性層、
撥油性層、
保護層、
反射防止層、
発熱層、
氷結防止層、
帯域外ブロッカー層、
のうち少なくとも１つを備える、センサ窓。
【請求項１４】
請求項１記載のセンサ窓において、さらに、前記層のセットにおける１つ又はそれ以上の第１層と、前記層のセットにおける１つ又はそれ以上の第２層との間に配置された少なくとも１つの中間層を備える、センサ窓。
【請求項１５】
光学フィルタにおいて、
複数の層であって、
前記複数の層は、第１屈折率に関連付けられた１組の高屈折率層のセットと、及び前記第１屈折率より小さい第２屈折率に関連付けられた１組の低屈折率層のセットとを含み、
前記複数の層は、光の複数の波長を指向させる複数チャンネルを形成し、
前記複数の層は、感知スペクトルレンジにおける閾値透過率及び可視スペクトルレンジにおける閾値不透明性に関連付けられている
ものである、該複数の層を備える、光学フィルタ。
【請求項１６】
請求項１５記載の光学フィルタにおいて、前記複数の層は、前記光学フィルタに隣接する他の表面に対してカラーマッチングするよう構成されている、光学フィルタ。
【請求項１７】
請求項１５記載の光学フィルタにおいて、前記複数のチャンネルは少なくとも６４個のチャンネルを含む、光学フィルタ。
【請求項１８】
基板上又は基板内に配置された１組の光センサのセットと、及び
前記光センサのセットにおける光路に堆積されたセンサ窓であって、前記センサ窓は、
第１スペクトルレンジで約０°〜約４５°の入射角に対して８０％より大きい不透明性を付与し、また前記第１スペクトルレンジとは異なる第２スペクトルレンジで約０°〜約４５°の入射角に対して８０％より大きい透過率を付与するよう構成されている少なくとも１つの層を含む
該センサ窓と
を備える、システム。
【請求項１９】
請求項１８記載のシステムにおいて、前記システムは、車両に設けられ、また車両の車体色に対して１ΔＥ以内でカラーマッチングしている、システム。
【請求項２０】
請求項１８記載のシステムにおいて、前記システムは、生体測定システム、セキュリティシステム、通信システム、健康監視システム、物体識別システム、分光学的識別システムのうち少なくとも１つである、システム。
【発明の詳細な説明】
【技術分野】
【０００１】
本発明はセンサ窓に関する。
【背景技術】
【０００２】
センサ素子アレイのような光レシーバは、この光レシーバに向って指向する光を受光することができる。例えば、物体検出システムにおいて、センサ素子アレイを使用して、光の１つ又はそれ以上の波長に関する情報を捕捉することができる。センサ素子アレイは、光の１つ又はそれ以上の波長に関する情報を捕捉する１組のセンサ素子（例えば、光センサ、スペクトルセンサ、及び／又は画像センサ）のセットを有することができる。光トランスミッタは物体に向って指向する光を発光することができる。例えば、物体検出システムにおいて、光トランスミッタは物体に向けて近赤外光を伝送することができ、またこの近赤外光は物体からセンサ素子アレイに向って反射することができる。この場合、センサ素子アレイが捕捉する情報に基づいて、物体を検出することができる。例えば、車両の状況において、或るデバイスは、この情報を使用して、物体の３次元表現を生成し、また物体の近接度を認識することができ、これにより車両が物体を回避することができる。
【発明の概要】
【発明が解決しようとする課題】
【０００３】
他の例において、センサ素子アレイのような光レシーバが捕捉した情報を使用して、物体の特性（例えば、物体までの距離、物体のサイズ、物体の形状、物体の分光学的特徴、物体のタイプ、物体の速度、等々）、人の識別、人の特徴（例えば、身長、体重、移動速度、健常性、等々）、及び／又はそれらに類するものを認識することができる。しかし、ユーザー又は物体に向けての近赤外光の伝送中及び／又はユーザー又は物体から光レシーバに向かう反射中に、周辺光が近赤外光に干渉することがあり得る。したがって、光レシーバは、帯域通過フィルタのような光学フィルタと光学的に結合させて、周辺光をフィルタ処理し、また近赤外光を光レシーバに向かう透過を可能にすることができる。さらに、光の多重波長感知を実施するとき、光の多重波長における各波長がセンサ素子アレイにおける異なるセンサ素子に指向するのを確実にするフィルタを設けることができる。
【課題を解決するための手段】
【０００４】
幾つかのあり得る実施形態によれば、センサ窓は、基板と、及び前記基板上に配置した１組の層のセットとを備えることができる。前記層のセットは、第１屈折率の層の第１サブセットと、第１屈折率とは異なる第２屈折率の層の第２サブセットとを含むことができる。前記層のセットは、感知スペクトルレンジにおける閾値透過率に関連付けることができる。前記層のセットは、可視スペクトルレンジにおける特定色を呈するように構成され、かつ前記可視スペクトルレンジにおける閾値不透明性に関連付けることができる。
【０００５】
幾つかのあり得る実施形態によれば、光学フィルタは複数の層を備えることができる。前記複数の層は、第１屈折率に関連付けられた１組の高屈折率層のセットと、及び前記第１屈折率より小さい第２屈折率に関連付けられた１組の低屈折率層のセットとを含むことができる。前記複数の層は、光の複数の波長を指向させる複数チャンネルを形成することができる。前記複数の層は、感知スペクトルレンジにおける閾値透過率及び可視スペクトルレンジにおける閾値不透明性に関連付けることができる。
【０００６】
幾つかのあり得る実施形態によれば、システムは、基板上又は基板内に配置された１組の光センサのセットと、及び前記光センサのセットにおける光路に堆積されたセンサ窓とを備えることができる。前記センサ窓は、第１スペクトルレンジで約０°〜約４５°の入射角に対して８０％より大きい不透明性を付与し、また前記第１スペクトルレンジとは異なる第２スペクトルレンジで約０°〜約４５°の入射角に対して８０％より大きい透過率を付与するよう構成されている少なくとも１つの層を含むことができる。
【０００７】
本発明又は本出願は色付きの少なくとも１つの図面を含む。本発明又は本出願公報の複製は、請求及び必要料金支払いで特許庁によって提供される。
【図面の簡単な説明】
【０００８】
【図１Ａ】本明細書記載のセンサ窓の例示的な実施形態の概略図である。
【図１Ｂ】本明細書記載のセンサ窓の例示的な実施形態の概略図である。
【図２】本明細書記載のセンサ窓を有する光学系の例示的な実施形態の概略図である。
【図３】本明細書記載のセンサ窓の例示的な実施形態の概略図である。
【図４Ａ】本明細書記載のセンサ窓における特性の実施形態の概略図である。
【図４Ｂ】本明細書記載のセンサ窓における特性の実施形態の概略図である。
【図４Ｃ】本明細書記載のセンサ窓における特性の実施形態の概略図である。
【図４Ｄ】本明細書記載のセンサ窓における特性の実施形態の概略図である。
【図４Ｅ】本明細書記載のセンサ窓における特性の実施形態の概略図である。
【図５Ａ】本明細書記載のセンサ窓における特性の実施形態の概略図である。
【図５Ｂ】本明細書記載のセンサ窓における特性の実施形態の概略図である。
【図５Ｃ】本明細書記載のセンサ窓における特性の実施形態の概略図である。
【図５Ｄ】本明細書記載のセンサ窓における特性の実施形態の概略図である。
【図６Ａ】本明細書記載のセンサ窓における特性の実施形態の概略図である。
【図６Ｂ】本明細書記載のセンサ窓における特性の実施形態の概略図である。
【図６Ｃ】本明細書記載のセンサ窓における特性の実施形態の概略図である。
【図６Ｄ】本明細書記載のセンサ窓における特性の実施形態の概略図である。
【図７Ａ】本明細書記載のセンサ窓における特性の実施形態の概略図である。
【図７Ｂ】本明細書記載のセンサ窓における特性の実施形態の概略図である。
【図７Ｃ】本明細書記載のセンサ窓における特性の実施形態の概略図である。
【図８Ａ】本明細書記載のセンサ窓における特性の実施形態の概略図である。
【図８Ｂ】本明細書記載のセンサ窓における特性の実施形態の概略図である。
【図８Ｃ】本明細書記載のセンサ窓における特性の実施形態の概略図である。
【図８Ｄ】本明細書記載のセンサ窓における特性の実施形態の概略図である。
【図８Ｅ】本明細書記載のセンサ窓における特性の実施形態の概略図である。
【発明を実施するための形態】
【０００９】
例示的実施形態における以下の詳細な説明は添付図面を参照する。異なる図面における同一の参照符号は同一又は類似の素子を特定することができる。
【００１０】
窓は、内部環境を外部環境から分離し、また外部環境から内部環境に、内部環境から外部環境に光を透過する、及び／又はこれに類することを可能にするよう設けることができる。例えば、自動車のような車両の文脈においては、フロントガラス（風防）窓は、雨条件、風条件、粉塵条件、デブリ条件、等々のような環境条件から車両運転者を保護するために、設けることができる。フロントガラス窓は、耐久性があり、また光を透過させて運転者が車両を運転できるようにすることを可能にする材料から製造することができる。
【００１１】
光学系をフロントガラス窓の背後に配置して、光学系を外部環境から保護することができる。例えば、車両の文脈においては、物体認識センサをフロントガラス、ヘッドライト、等々の背後に配置して、物体認識センサを保護することができる。同様に、セキュリティの文脈においては、顔認識センサを窓背後に配置して、顔認識センサが権限のない人物によって調整されないよう保護することができる。しかし、窓は、権限のない人物が光学系を見ることを可能にし得る。例えば、権限のない人物は、窓背後の光学系を見ることができ、また窓を覆う、窓及び／又は光学系を損傷させる、光学系の見通しラインを回避する、及び／又はそれに類することを行って、光学系の有効性を減ずるようにすることができる。同様に、車両オーナーは、光学系が他の人に見えて審美的にマイナスの印象を自動車に与えることから、物体認識センサを自動車に設置するのを差し控え、したがって、物体認識センサからのセキュリティの恩恵なしで済ませることがあり得る。
【００１２】
幾つかの窓は着色して、窓背後に配置したセンサシステムの可視性を減ずることができる。例えば、車両の文脈においては、薄い色の付いたガラスを使用して、物体認識センサを外部の人に見えないように隠蔽することができる。同様に、セキュリティの文脈においては、カラー顔料をガラスに塗布して、ガラス背後に配置した顔認識センサを隠蔽することができる。しかし、顔料着色ガラス又は薄い色の付いたガラスを使用することは、不透明性を得るための閾値ガラス厚さよりも大きくすることを必要とし、このことは、設置サイズを過剰に大きくする結果となり、光学系に指向される又は光学系によって供給される光量を減少させることがあり得る。さらに、カラー顔料ベースの着色ガラスは、可視光波長における不透明性と、感知光波長（例えば、近赤外光波長、中間赤外光波長及び／又はこれらに類する波長）における透過率との間における鮮鋭な遷移がないことがあり得る。鮮鋭遷移がないことは、可視光波長に比較的近い感知波長での感知能力を低下させ、これにより光学系の有効性を減ずることがあり得る。
【００１３】
本明細書記載の幾つかの実施形態は、光学系に対してカラーマッチングしたセンサ窓を提供することができる。例えば、センサ窓は、例えば、交互配置した高屈折率層及び低屈折率層を使用し、感知波長に対して透過性を示し、可視光に対して不透明性を示すよう構成することができる。このようにして、センサ窓は、例えば、車両、固定ハウジング、及び／又はこれらに類するものに、色選択可能にするよう構成することができる。さらに、センサ窓は、閾値厚さ未満の厚さに対して、また感知波長に対する透過率と可視光波長での不透明性との間における比較的鮮鋭な遷移に対して、関連付けることができ、これによりセンサ窓に関連する光学系の性能を向上することができる。さらに、色設定可能であることに基づいて、センサ窓は外部環境に対してカラーマッチングさせることができ、これにより色選択設定できないセンサ窓に光学系を（例えば、セキュリティ特徴等として車両内に）設置する可能性を少なくすることができる。
【００１４】
図１Ａ及び１Ｂは、本明細書記載の例示的実施形態１００／１００′の概略図である。図１Ａに示すように、実施形態１００は、車両１１０、センサ窓１２０、及びセンサ１３０を備える。
【００１５】
本明細書記載の幾つかの実施形態は、車両配備における感知システムに関して説明するが、他の配備における他のシステム、例えば、固定配備、ウェアラブル配備、及び／又はこれらに類する配備における、通信システム（例えば、Ｌｉ-Ｆｉシステム）、生体測定システム、セキュリティシステム、健康監視システム、物体識別システム、分光学的識別システム、ライダーシステム及び／又はこれらに類するシステムも可能である。
【００１６】
さらに、図１Ａに示すように、車両１００は物体１４０（例えば、停止標識）の閾値近接度以内にあり得る。参照符号１５０及び１６０によって示すように、センサ１３０は、物体１４０に向って光信号を伝送し、またこの光信号はセンサ１３０に向って反射することができる。例えば、センサ１３０は近赤外信号を送信し、近赤外信号を反射する物体１４０に基づいて反射した近赤外信号を受信することができる。この場合、センサ１３０は、反射した近赤外信号に基づいて物体１４０の特性を決定することができる。例えば、センサ１３０は、物体１４０の近接度、物体１４０のサイズ、物体１４０の物体タイプ、等々を反射した近赤外信号に基づいて決定することができる。
【００１７】
幾つかの実施形態において、センサ窓１２０は、特定の色に関連付けることができる。例えば、層のタイプ、層の厚さ、層の順序、及び／又はこれらに類するものに基づいて、センサ窓１２０は、近赤外光を通過させ、１組の可視光色における第１セットを吸収し、また１組の可視光色における第２セットを反射するよう構成することができる。この場合、色の第２セットをセンサ窓１２０に隣接する表面に整合するよう構成することに基づいて（例えば、センサ窓１２０を車両１１０に整合する赤の色調を反映させることに基づいて）、センサ窓１２０が見えなくなるよう隠蔽することができる。さらに、近赤外光を通過するようにセンサ窓１２０を設定することに基づいて、センサ窓１２０は、センサ１３０が近赤外光を送信し、またセンサ窓１２０によって近赤外光がブロックされることなく反射した近赤外信号を受信することができる。このようにして、センサ窓１２０は、センサ１３０を含むセンサシステムの機能発揮を可能にし、センサ１３０を環境劣化から保護し、またセンサ１３０が見えなくなるよう隠蔽し、これによりセンサ１３０の機能発揮及び車両１１０の美観の双方を向上する。
【００１８】
図１Ｂ、及び対称的な例示的実施形態１００′に示すように、センサ窓１２０は、二次視覚的特徴を得るよう構成することができる。例えば、センサ窓１２０の色をセンサ窓１２０に隣接する表面に整合させるよう構成するのではなく、センサ窓１２０は、光の異なる色を反射するよう構成することができる。図示のように、センサ窓１２０は、黒及び白の垂直バーとして見えるよう構成し、これによりセンサ窓１２０が車両１１０のグリルに似た外観にすることができる。他の実施形態において、センサ窓１２０は、車両製造業者のロゴに似るよう１つ又はそれ以上の色を反射し、これによりセンサ窓１２０が見えなくなるようカモフラージュすることができる。他の実施形態において、センサ窓１２０は、例えば、森林環境内でセンサシステムをカバーするよう配備するとき（例えば、野生生物モニタリング）のように、センサ窓１２０をカモフラージュ色にするよう構成することができる。他の実施形態において、センサ窓１２０は、通行人にとってセンサシステムが目立たなくなるようにするのではなくセンサシステムに気付くようにする非カモフラージュ模様で構成することができる。例えば、セキュリティ配備において、センサ窓１２０は、１つ又はそれ以上の明るい色（例えば、黄色及びオレンジ色の交互ストライプ）を反射するよう構成し、通行人にセンサシステムに気付かせ、これにより付加的な盗難又は不法侵入抑止をもたらすことができる。
【００１９】
上述したように、図１Ａ及び１Ｂは単なる実施例として提示するものである。他の実施例も可能であり、また図１Ａ及び１Ｂにつき説明したのとは異なるものとすることができる。
【００２０】
図２は、本明細書記載の例示的実施形態２００の概略図である。図２に示すように、例示的実施形態２００はセンサシステムを含む。このセンサシステムは、光学系の一部とすることができ、またセンサ決定に応答して電気出力を供給することができる。センサシステムは、基板２２０に配置したセンサ窓２１０と、光センサ２３０とを備える。幾つかの実施形態において、センサ窓２１０は、色選択力を付与し、また多重波長チャンネルに関連する光センサ２３０における複数のセンサ素子に光を指向させるよう、高屈折率材料層及び低屈折率材料層を交互に備えることができる。
【００２１】
本明細書記載の幾つかの実施形態はセンサシステムにおけるセンサ窓に関して説明するが、本明細書記載の実施形態は他のタイプのシステムに使用する、センサシステムの外部で使用する、及び／又はこれに類するような使用も可能である。
【００２２】
図２に参照符号２４０でさらに示すように、入力光信号がセンサ窓２１０に向って指向する。この入力光信号は、限定しないが、特定スペクトルレンジ（例えば、近赤外スペクトルレンジ、中赤外スペクトルレンジ、可視スペクトルレンジ、及び／又はこれらに類するスペクトルレンジ）に関連する光を含むことができる。例えば、光センサ２３０が光の測定を実施するよう、光トランスミッタは光を光センサ２３０に向って指向させることができる（例えば、光トランスミッタは光を物体に向けて指向させ、また光が光センサ２３０に向って反射できるようにする）。他の実施例において、光トランスミッタは、検査機能性、感知機能性、通信機能性、及び／又はこれらに類するような他の機能性のために、他のスペクトルレンジの光を指向させることができる。
【００２３】
図２に、また参照符号２５０でさらに示すように、入力光信号における第１スペクトルレンジを有する第１部分はセンサ窓２１０によって通過しない。例えば、センサ窓２１０における高屈折率材料層及び低屈折率材料層を含むことができる誘電性薄膜層の誘電性フィルタスタックは、入力光信号の第１部分を第１方向に反射させる、吸収する、及び／又はこれらに類することを行うことができる。幾つかの実施形態において、入力光信号の第１部分は、センサ窓２１０が見る人に対して特定色として見えさせるよう反射する第１光と、吸収される第２光を含むことができる。幾つかの実施形態において、入力光信号の第１部分は、センサ窓２１０に入射する光の、例えば、可視スペクトルレンジにおける９５％より多い部分、９９％より多い部分、等々のようなセンサ窓２１０の帯域通過に含まれない閾値部分であり得る。
【００２４】
図２に、また参照符号２５０でさらに示すように、入力光信号における第２部分はセンサ窓２１０によって通過する。例えば、センサ窓２１０は、入力光信号における第２スペクトルレンジを有する第２部分を第２方向に光センサ２３０に向けて通過させることができる。この場合、センサ窓２１０に入射する光の、例えば、近赤外スペクトルレンジにおける入射光の５０％より多い部分、光の９０％より多い部分、光の９５％より多い部分、光の９９％より多い部分、等々のようなセンサ窓２１０の帯域通過範囲内の閾値部分であり得る。幾つかの実施形態において、センサ窓２１０は、複数のスペクトルレンジに関連する複数の成分フィルタに関連付けることができる。例えば、センサ窓２１０の厚さを変化させることに基づいて、センサ窓２１０の異なる部分が光の異なる波長を光センサ２３０の異なるセンサ素子に通過させることができ、これにより多重スペクトル感知を可能にする。
【００２５】
図２に、また参照符号２７０でさらに示すように、光センサ２３０に通過している入力光信号の第２部分に基づいて、光センサ２３０は、画像化、物体の存在検出、人物の識別、測定実施、通信促進、及び／又はこれらに類することに使用するためのような、センサシステムに出力電気信号を供給することができる。幾つかの実施形態において、センサ窓２１０及び光センサ２３０の他の構成を利用することができる。例えば、入力光信号の第２部分を入力光信号と共線的に通過させるのではなく、センサ窓２１０は、異なる場所に配置した光センサ２３０に向かうよう入力光信号の第２部分を他の方向に指向させることができる。
【００２６】
上述したように、図２は単なる実施例として提示するものである。他の実施例も可能であり、また図２につき説明したのとは異なるものとすることができる。
【００２７】
図３は例示的光学フィルタ３００の概略図である。図３は、本明細書記載のセンサ窓として利用することができる光学フィルタの例示的積層体を示す。さらに図３に示すように、光学フィルタ３００は、光学フィルタコーティング部分３１０及び基板３２０を有する。
【００２８】
成分フィルタ３１０は1組の光学フィルタ層のセットを含む。例えば、光学フィルタコーティング部分３１０は、層３３０-１〜３３０-（Ｎ+１）（Ｎ≧１）の第１セット、及び層３４０-１〜３４０-Ｎの第２セットを含む。他の実施形態において、光学フィルタコーティング部分３１０は、単一タイプの層（例えば、１つ又はそれ以上の層３３０）、３つ又はそれ以上の層（例えば、１つ又はそれ以上の層３３０、１つ又はそれ以上の層３４０、及び他の１つ又はそれ以上のタイプにおける層のうち１つ又はそれ以上）、及び／又はこれらに類する層であることができる。幾つかの実施形態において、光学フィルタコーティング部分３１０は、基板３２０の単一側面に配置することができる。幾つかの実施形態において、コーティング部分３１０は不連続的なものとすることができる。例えば、光学フィルタコーティング部分３１０は、基板３２０の複数の側面に配置することができる。この場合、光学フィルタコーティング部分３１０の層における第１セットは基板３２０の頂部側面に配置し、光学フィルタコーティング部分３１０の層における第２セットは基板３２０の底部側面に配置して、集合的に色選択機能性、通過帯域機能性、帯域外ブロック機能性、反射防止コーティング機能性、偏光制御機能性、及び／又はこれらに類する機能性を得るようにすることができる。付加的又は代替的に、光学フィルタコーティング部分３１０は、１つ又はそれ以上の中間層によって分離され、かつこれら中間層を挟持する第１セットの層及び第２セットの層を有することができる。
【００２９】
幾つかの実施形態において、層３３０は、１組の高屈折率材料による層（Ｈ層）、例えば、シリコン層、水素化シリコン、シリコン-ゲルマニウム（ＳｉＧｅ）層、ゲルマニウム層、水素化ゲルマニウム層、水素化シリコン-ゲルマニウム層、等々によるセットを含むことができる。幾つかの実施形態において、層３３０は、３.０より大きい屈折率、約３.５より大きい屈折率、約３.６より大きい屈折率、約３.８より大きい屈折率、約４.０より大きい屈折率、及び／又はこれらに類する大きい屈折率に関連付けることができる。幾つかの層はＳｉＧｅのような特定材料として説明することができるが、幾つかの層は、（少量の）リン光体、ボロン、窒化物、水素、希ガス、等々を含むことができる。
【００３０】
幾つかの実施形態において、層３３０は、１組の金属又は合金材料の層によるセットを含むことができる。例えば、層３３０は銀層とすることができる。付加的又は代替的に、層３３０は銀合金層とすることができる。例えば、約０.５重量％の金、約０.５重量％のスズを含む銀合金を使用して、他の材料よりも向上した耐腐食性を得るようにすることができる。幾つかの実施形態において、層３３０はアルミニウム層とすることができる。幾つかの実施形態において、層３３０は、金層、プラチナ層、パラジウム層、それらの合金層、等々を含むことができる。幾つかの実施形態において、層３３０は異なる厚さを有することができる。例えば、第１金属層は第１厚さを有し、また第２金属層は第２厚さを有することができる。この場合、金属層の各々は、約５ナノメートル（ｎｍ）〜約５０ｎｍの範囲における、約１０ｎｍ〜約３５ｎｍの範囲における、及び／又はこれらに類する範囲における物理的厚さを有することができる。
【００３１】
幾つかの実施形態において、層３４０は、１組の低屈折率材料による層（Ｌ層）、例えば、二酸化ケイ素層、及び／又はこれらに類する層によるセットを含むことができる。付加的又は代替的に、Ｌ層は、五酸化タンタル、（Ｔａ２Ｏ５）層、フッ化マグネシウム（ＭｇＦ２）層、五酸化ニオブ（Ｎｂ２Ｏ５）層、二酸化チタン（ＴｉＯ２）層、酸化アルミニウム（Ａｌ２Ｏ３）層、酸化ジルコニウム（ＺｒＯ２）層、酸化イットリウム（Ｙ２Ｏ３）層、窒化ケイ素（Ｓｉ３Ｎ４）層、それらの組合せ、及び／又はこれらに類する層を含むことができる。幾つかの実施形態において、層３４０は、約２.７より小さい屈折率、約２.０より小さい屈折率、約１.５より小さい屈折率、及び／又はこれらに類する小さい屈折率に関連付けることができる。幾つかの態様において、層３３０の第１屈折率と層３４０の第２屈折率との間の差は、約１.５より大きい、約２.０より大きい、約２.５より大きい、約３.０より大きい、約３.５より大きい、及び／又はこれらに類する値より大きいものとすることができる。幾つかの実施形態において、光学フィルタコーティング部分３１０は、第１材料の層３３０及び第２材料の層３４０を含むことができる。
【００３２】
幾つかの実施形態において、光学フィルタコーティング部分３１０は、複数材料の層３３０及び／又は複数材料の層３４０を含むことができる。光学フィルタコーティング部分３１０は、第１屈折率を有する第１タイプの層３３０、第２屈折率を有する第２タイプの層３３０、及び第３屈折率を有する層３４０を含むことができる。同様に、光学フィルタコーティング部分３１０は、第１屈折率を有する層３３０、第２屈折率を有する第１タイプの層３４０、及び第３屈折率を有する第２タイプの層３４０を含むことができる。同様に、光学フィルタコーティング部分３１０は、複数屈折率を有する複数タイプの層３３０、及び複数屈折率を有する複数タイプの層３４０を含むことができる。第３タイプの材料、第４タイプの材料、等々を使用することに基づいて、色、通過帯域、フィルタ機能性、等々を、層３３０に対して単一材料及び層３４０に対して単一材料を使用することよりも高い度合いの設定可能性（例えば、粒状色設定可能性、通過帯域設定可能性、等々）に調整することができる。
【００３３】
幾つかの実施形態において、光学フィルタコーティング部分３１０は、特定層数、ｍに関連付けることができる。例えば、センサ窓として使用するための光学フィルタは、２層〜２００層にわたる範囲のような、交互の高屈折率層及び低屈折率層の層数を含むことができる。幾つかの実施形態において、光学フィルタコーティング部分３１０はスパッタリング手順を用いて作製することができる。例えば、光学フィルタコーティング部分３１０は、本明細書記載のようにガラス基板又は他タイプ基板上に層３３０及び３４０を交互にスパッタリングするようパルス状マグネトロンをベースとするスパッタリング手順を用いて作製することができる。幾つかの実施形態において、スパッタリング手順のために多重カソード、例えば、シリコン（ケイ素）をスパッタリングする第１カソード及びゲルマニウム及びケイ素をスパッタリングする第２カソードを使用し、これによりシリコン-ゲルマニウム層を形成することができる。幾つかの実施形態において、光学フィルタコーティング部分３１０は、１つ又はそれ以上の他の機能性を得るために１つ又はそれ以上の他タイプの層を含み、例えば、疎水性層（例えば、雨のような水分を回避するようセンサ窓の外側層に配置し、センサ窓をカバーする）、親水性層又は超親水性層（例えば、センサ窓の内面に配置して、センサ窓の曇りを回避する、センサ窓に自浄機能性を付加する、等々を行う）、撥油性層、保護層（例えば、光学フィルタコーティング部分３１０の頂面に配置したコーティング）、反射防止層、発熱層（例えば、光学フィルタ３００の加熱を可能にする埋設電気接続部を有する材料層）、氷結防止層、帯域外ブロッカー層（特定スペクトルレンジを遮蔽するための）、及び／又はこれらに類する層を有することができる。幾つかの実施形態において、基板３２０は、基板３２０がカバーする１つ又はそれ以上のセンサ素子に対する保護を行うため、化学的に強化されたガラスとすることができる。幾つかの実施形態において、光学フィルタ３００及び／又はそれにおける１つ又はそれ以上の層は積層させて（例えば、積層コーティングでカバーする、又は積層構造に形成する）、光学フィルタ３００に対して耐破砕性を付与し、これにより光学フィルタ３００がカバーする１つ又はそれ以上のセンサ素子の保護を行うことができるようにする。
【００３４】
幾つかの実施形態において、光学フィルタコーティング部分３１０は、１回又はそれ以上のアニーリング（焼鈍）手順を用いて、例えば、約２８０℃又は約２００℃〜約４００℃の温度での第１アニーリング手順、約３２０℃又は約２５０℃〜約３５０℃の温度での第２アニーリング手順、等々を行って、アニーリングすることができる。
【００３５】
幾つかの実施形態において、光学フィルタコーティング部分３１０の各層は、特定の厚さに関連付けることができる。例えば、層３３０及び３４０各々は、１ｎｍ〜１５００ｎｍの厚さ、１０ｎｍ〜５００ｎｍの厚さ、等々に関連付けることができる。付加的又は代替的に、光学フィルタ３００は、５０μｍ〜１０ミリメートル（ｍｍ）、１ｍｍ〜５ｍｍ、等々の厚さに関連付けることができる。幾つかの実施形態において、層３３０及び３４０のうち少なくとも一方は、それぞれ１０００ｎｍ未満、１００ｎｍ未満、又は５ｎｍ未満の厚さ、等々の厚さに関連付けることができる。付加的又は代替的に、光学フィルタコーティング部分３１０は１００μｍ未満、５０μｍ未満、１０μｍ未満、５μｍ未満、等々の厚さに関連付けることができる。幾つかの実施形態において、層は複数の異なる厚さに関連付けることができる。例えば、１組のチャンネルのセットを形成するため、特定の層（例えば、リフレクタのセット間に配置したスペーサ層）の厚さを変化させ、異なるチャンネル経由で光の異なる波長を異なるセンサ素子に指向させることができる。このようにして、センサ窓は、光の多重波長に関する情報を決定するため多重スペクトルセンサを使用することができる。幾つかの実施形態において、光学フィルタ３００は、少なくとも１個のチャンネル、少なくとも２個のチャンネル、少なくとも３２個のチャンネル、少なくとも６４個のチャンネル、少なくとも１２８個のチャンネル、等々のチャンネルを形成して、閾値個数の波長を感知できるようにすることができる。幾つかの実施形態において、多重チャンネルは、多重チャンネルに整列する少なくとも１個のセンサ素子によって感知するための共通波長に関連付けることができる。
【００３６】
幾つかの実施形態において、光学フィルタ３００は、特定のスペクトルレンジ、例えば、近赤外スペクトルレンジ、中赤外スペクトルレンジ、等々のレンジに関連付けることができる。例えば、光学フィルタ３００は、約６００ｎｍ〜約２５００ｎｍ、約７００ｎｍ〜約２０００ｎｍ、約８００ｎｍ〜約１６００ｎｍ、等々のスペクトルレンジに関連付けることができる。幾つかの実施形態において、光学フィルタ３００は、約９４０ｎｍの中心波長、約１０６４ｎｍの中心波長、約１５５０ｎｍの中心波長、及び／又はこれらに類する中心波長のような、特定中心波長に関連付けることができる。幾つかの実施形態において、光学フィルタ３００は、約５０ｎｍ未満のチャンネル離間隔、約２０ｎｍ未満のチャンネル離間隔、約１０ｎｍ未満のチャンネル離間隔、約５ｎｍ未満のチャンネル離間隔、約１ｎｍ未満のチャンネル離間隔、及び／又はこれらに類する離間隔のような、特定チャンネル離間隔に関連付けることができる。
【００３７】
幾つかの実施形態において、光学フィルタ３００は、特定の色シフト（色ずれ）に関連付けることができる。例えば、光学フィルタ３００は、１ΔＥ以内、５ΔＥ以内、１０ΔＥ以内、２０ΔＥ以内、３０ΔＥ以内、４０ΔＥ以内、１００ΔＥ以内、１５０ΔＥ以内、等々の、第１入射角（例えば、０°）における第１色から第２入射角（例えば、１５°、３０°、４５°、６０°、等々）における第２色への色シフトに関連付けることができる。幾つかの実施形態において、光学フィルタ３００は、約５０％透過率より大きい、約８０％透過率より大きい、約９０％透過率より大きい、約９５％透過率より大きい、約９９％透過率より大きい、及び／又は特定スペクトルレンジ（例えば、感知スペクトルレンジ）のような閾値透過率に関連付けることができる。幾つかの実施形態において、光学フィルタ３００は、閾値不透過率（例えば、反射、吸収、等々に基づいて）に関連付けることができる。例えば、光学フィルタ３００は、約５０％不透過率より大きい、約８０％不透過率より大きい、約９０％不透過率より大きい、約９５％不透過率より大きい、約９９％不透過率より大きい、及び／又は特定スペクトルレンジ（例えば、可視スペクトルレンジ）のような閾値不透過率に関連付けることができる。このようにして、光学フィルタ３００は、センサ窓の色選択性を可能にし、またセンサ窓の光路に配置したセンサ素子による感知を可能にする。
【００３８】
幾つかの実施形態において、光学フィルタ３００は、光学フィルタ３００における複数場所における複数特性に関連付けることができる。例えば、光学フィルタ３００の第１部分は、光学フィルタ３００の第１断面領域における第１厚さ、層の第１構成、材料の第１タイプ、等々に関連付けることができ、また光学フィルタ３００の第２断面領域における第２厚さ、層の第２構成、材料の第２タイプ、等々に関連付けることができる。このようにして、光学フィルタ３００は、上述したように、例えば、特定パターンを形成する、特定図像を形成するため、単一センサにお多色に対する色選択性を可能にすることができる。
【００３９】
上述したように、図３は単なる実施例として提示するものである。他の実施例も可能であり、また図３につき説明したのとは異なるものとすることができる。
【００４０】
図４Ａ〜４Ｅは、本明細書記載のセンサ窓に関する例示的特性を示すグラフである。
【００４１】
図４Ａに、またチャート４００で示すように、透過率はセンサ窓及び特定スペクトルレンジに対して決定することができる。この場合、センサ窓は、ホウケイ酸塩基板上に配置され、大気環境に適合し、かつコリメート光に曝される黒着色反射防止センサ窓とすることができる。さらに、センサ窓は、１５５０ｎｍを中心とするスペクトルレンジ用に構成される。図示のように、約０°〜約４５°の入射角において、透過率は、約４００ｎｍ〜約７８０ｎｍの間で５％未満であり、約１５５０ｎｍで９５％より大きい。この場合、センサ窓を含む光学フィルタに遮光体（ブロッカー）を付加し、例えば、約１０００ｎｍ未満における透過をブロックすることができる。さらに示すように、図４Ｂに示す透過率及び反射率の結果、センサ窓を有する表面は、可視スペクトルレンジで特定の色を呈し、また感知を実施する所望ＮＩＲスペクトルレンジで反射防止を行うことができる。
【００４２】
図４Ｂに、またチャート４１０で示すように、反射率はセンサ窓に対して決定することができる。この場合、可視スペクトルレンジ（例えば、約３９０ｎｍ〜約７００ｎｍ）及び約０°〜約４５°の入射角において、反射率は１０％未満であり、この結果として、入射角の閾値レンジ（例えば、約０°から少なくとも約４５°）にわたりセンサ窓に対して黒色となり得る。
【００４３】
図４Ｃ及び４Ｄに、またチャート４２０及び４３０でそれぞれ示すように、約０°〜約６０°の入射角における色シフト（色ずれ）が決定される。例えば、センサ窓は、約０°〜約６０°の入射角で約２０ΔＥ未満、約０°〜約３０°の入射角で約５ΔＥ未満、等々の色シフトに関連付けられる。
【００４４】
図４Ｅに、またチャート４４０で示すように、センサ窓に対する例示的積層を示す。例えば、センサ窓の第１側面（例えば、センサ窓基板における第１側面に配置される）は、大気界面に適合する交互の高屈折率層（Ｈ層）及び低屈折率層（Ｌ層）を有することができる。センサ窓の第２側面（例えば、センサ窓基板における第２側面に配置される）は、付加的なＨ層及びＬ層を有することができる。この場合、各層は、図４Ａ〜４Ｄにつき説明した光学的性能をもたらす設定厚さに関連付けることができる。
【００４５】
この場合、図４Ａ〜４Ｅに示すように、センサ窓は、入射角の閾値レンジに対して近赤外波長での透過及び可視波長での色選択性を可能にし、これにより着色窓を製造する他の技術よりも性能を向上することができる。さらに、減少した厚さ及びより鮮鋭的な遷移ゾーン（例えば、第１閾値透過率未満かつ第１閾値反射率を超える波長から第２閾値透過率を超えるかつ第２閾値反射率未満の波長にわたる波長レンジが閾値波長レンジ未満である）に基づいて、着色窓及びこれに関連するセンサの光学的性能が改善される。
【００４６】
上述したように、図４Ａ〜４Ｅは単なる実施例として提示するものである。他の実施例も可能であり、また図４Ａ〜４Ｅにつき説明したのとは異なるものとすることができる。
【００４７】
図５Ａ〜５Ｄは、本明細書記載のセンサ窓に関する例示的特性を示すグラフである。
【００４８】
図５Ａに、またチャート５００で示すように、透過率はセンサ窓及び特定スペクトルレンジに対して決定することができる。この場合、センサ窓は、ホウケイ酸塩基板上に配置され、大気環境に適合し、かつコリメート光に曝される黒着色反射防止センサ窓とすることができる。さらに、センサ窓は、９４０ｎｍを中心とするスペクトルレンジ用に構成される。図示のように、約０°〜約４５°の入射角において、透過率は、約４００ｎｍ〜約８５０ｎｍの間で５０％未満であり、約９４０ｎｍで９５％より大きい。この場合、センサ窓を含む光学フィルタに遮光体（ブロッカー）を付加し、例えば、約１０００ｎｍを超える波長における透過をブロックし、これにより約１０００ｎｍを超える波長における透過を抑制することができる。
【００４９】
図５Ｂに、またチャート５１０で示すように、反射率はセンサ窓に対して決定することができる。この場合、可視スペクトルレンジ（例えば、約３９０ｎｍ〜約６５０ｎｍ）及び約０°〜約４５°の入射角において、反射率は１０％未満であり、この結果として、入射角の範囲にわたりセンサ窓に対して黒色となり得る。
【００５０】
図５Ｃに、またチャート５２０で示すように、約０°〜約６０°の入射角における色シフトが決定される。例えば、センサ窓は、約０°〜約６０°の入射角で約３０ΔＥ未満、約０°〜約３０°の入射角で約５ΔＥ未満、等々の色シフトに関連付けられる。このようにして、図５Ａ〜５Ｃに示すように、センサ窓は、入射角の閾値レンジに対して近赤外波長での透過及び可視波長での色選択性を可能にし、これによりセンサ窓を製造する他の技術よりも性能を向上することができる。
【００５１】
図５Ｄに、またチャート５３０で示すように、センサ窓に対する例示的積層を示す。例えば、センサ窓の第１側面（例えば、センサ窓基板における第１側面に配置される）は、大気界面に適合する交互の高屈折率層（Ｈ層）及び低屈折率層（Ｌ層）を有することができる。センサ窓の第２側面（例えば、センサ窓基板における第２側面に配置される）は、付加的なＨ層及びＬ層を有することができる。この場合、各層は、図５Ａ〜５Ｃにつき説明した光学的性能をもたらす設定厚さに関連付けることができる。
【００５２】
上述したように、図５Ａ〜５Ｄは単なる実施例として提示するものである。他の実施例も可能であり、また図５Ａ〜５Ｄにつき説明したのとは異なるものとすることができる。
【００５３】
図６Ａ〜６Ｄは、本明細書記載のセンサ窓に関する例示的特性を示すグラフである。
【００５４】
図６Ａに、またチャート６００で示すように、透過率はセンサ窓及び特定スペクトルレンジに対して決定することができる。この場合、センサ窓は、ホウケイ酸塩基板上に配置され、大気環境に適合し、かつコリメート光に曝される黒着色反射防止センサ窓とすることができる。さらに、センサ窓は、９４０ｎｍを中心とするスペクトルレンジ用に構成される。図示のように、約０°〜約４５°の入射角において、透過率は、約４００ｎｍ〜約８００ｎｍの間で５０％未満であり、約９４０ｎｍで８５％より大きい。
【００５５】
図６Ｂに、またチャート６１０で示すように、反射率はセンサ窓に対して決定することができる。この場合、可視スペクトルレンジの一部（例えば、約３９０ｎｍ〜約５９０ｎｍ）及び約０°〜約４５°の入射角において、反射率は１２％未満である。これとは対照的に、可視スペクトルレンジの他の部分（例えば、約５９０ｎｍ〜約７００ｎｍ）及び約０°〜約４５°の入射角において、反射率は１２％を超えることができ、この結果として、センサ窓に対して赤色となり得る。
【００５６】
図６Ｃに、またチャート６２０で示すように、約０°〜約６０°の入射角における色シフトが決定される。例えば、センサ窓は、約０°〜約６０°の入射角で約４０ΔＥ未満、約０°〜約３０°の入射角で約５ΔＥ未満、等々の色シフトに関連付けられる。このようにして、図６Ａ〜６Ｃに示すように、センサ窓は、入射角の閾値レンジに対して近赤外波長での透過及び可視波長での色選択性を可能にし、これによりセンサ窓を製造する他の技術よりも性能を向上することができる。
【００５７】
図６Ｄに、またチャート６３０で示すように、センサ窓に対する例示的積層を示す。例えば、センサ窓の第１側面（例えば、センサ窓基板における第１側面に配置される）は、大気界面に適合する交互の高屈折率層（Ｈ層）及び低屈折率層（Ｌ層）を有することができる。センサ窓の第２側面（例えば、センサ窓基板における第２側面に配置される）は、付加的なＨ層及びＬ層を有することができる。この場合、各層は、図６Ａ〜６Ｃにつき説明した光学的性能をもたらす設定厚さに関連付けることができる。
【００５８】
上述したように、図６Ａ〜６Ｄは単なる実施例として提示するものである。他の実施例も可能であり、また図６Ａ〜６Ｄにつき説明したのとは異なるものとすることができる。
【００５９】
図７Ａ〜７Ｃは、本明細書記載のセンサ窓に関する例示的特性を示すグラフである。
【００６０】
図７Ａに、またチャート７００で示すように、反射率はセンサ窓及び特定スペクトルレンジに対して決定することができる。この場合、センサ窓は、ホウケイ酸塩基板上に配置され、大気環境に適合し、かつコリメート光に曝される黒着色反射防止センサ窓とすることができる。さらに、センサ窓は、１０６４ｎｍを中心とするスペクトルレンジ用に構成される。この場合、可視スペクトルレンジ（例えば、約３９０ｎｍ〜７００ｎｍ）で約０°〜約４５°の入射角において、反射率は８％未満であり、この結果として、センサ窓に対して黒色となり得る。
【００６１】
図７Ｂ及び７Ｃに、またチャート７１０及び７２０でそれぞれ示すように、約０°〜約６０°の入射角における色シフトが決定される。例えば、センサ窓は、約０°〜約６０°の入射角で、他のセンサ窓製造技術よりも減少した色シフトに関連付けられる。このようにして、図７Ａ〜７Ｃに示すように、センサ窓は、入射角の閾値レンジに対して近赤外波長での透過及び可視波長での色選択性を可能にし、これによりセンサ窓を製造する他の技術よりも性能を向上することができる。
【００６２】
上述したように、図７Ａ〜７Ｃは単なる実施例として提示するものである。他の実施例も可能であり、また図７Ａ〜７Ｃにつき説明したのとは異なるものとすることができる。
【００６３】
図８Ａ〜８Ｅは、本明細書記載のセンサ窓に関する例示的特性を示すグラフである。
【００６４】
図８Ａに、またチャート８００で示すように、透過率はセンサ窓及び特定スペクトルレンジに対して決定することができる。この場合、センサ窓は、ホウケイ酸塩基板上に配置され、大気環境に適合し、かつコリメート光に曝される青着色反射防止センサ窓とすることができる。さらに、センサ窓は、９４０ｎｍを中心とするスペクトルレンジ用に構成される。図示のように、約０°〜約４５°の入射角において、透過率は、約４００ｎｍ〜約８００ｎｍの間で１５％未満であり、約９４０ｎｍで８０％より大きい。
【００６５】
図８Ｂに、またチャート８１０で示すように、反射率はセンサ窓に対して決定することができる。この場合、可視スペクトルレンジの一部（例えば、約５００ｎｍ〜約７００ｎｍ）で反射率は１０％未満となり得る。これとは対照的に、約５００ｎｍ未満のスペクトルレンジで反射率は９０％を超え、この結果として、入射角の閾値レンジにわたりセンサ窓に対して青色となり得る。
【００６６】
図８Ｃ及び８Ｄに、またチャート８２０及び８３０でそれぞれ示すように、約０°〜約６０°の入射角における色シフト（色ずれ）が決定される。例えば、センサ窓は、約０°〜約６０°の入射角で約１０５ΔＥ、約０°〜約３０°の入射角で約１２ΔＥ未満、等々の色シフトに関連付けられる。このようにして、図８Ａ〜８Ｄに示すように、センサ窓は、入射角の閾値レンジに対して近赤外波長での透過及び可視波長での色選択性を可能にし、これによりセンサ窓を製造する他の技術よりも性能を向上することができる。
【００６７】
図８Ｅに、またチャート８４０で示すように、センサ窓に対する例示的積層を示す。例えば、センサ窓の第１側面（例えば、センサ窓基板における第１側面に配置される）は、大気界面に適合する交互の高屈折率層（Ｈ層）及び低屈折率層（Ｌ層）を有することができる。センサ窓の第２側面（例えば、センサ窓基板における第２側面に配置される）は、付加的なＨ層及びＬ層を有することができる。この場合、各層は、図８Ａ〜８Ｄにつき説明した光学的性能をもたらす設定厚さに関連付けることができる。
【００６８】
上述したように、図８Ａ〜８Ｅは単なる実施例として提示するものである。他の実施例も可能であり、また図８Ａ〜８Ｅにつき説明したのとは異なるものとすることができる。
【００６９】
このようにして、センサ窓は、約０°〜約６０°の入射角、又はそれ以上の入射角に対して、顔料ベースのセンサ窓よりも、減少した厚さ、改善した透過率、及び／又はこれらに類する特性を伴って、例えば、隣接表面（例えば、車両の車体色）に対して、１ΔＥ以内、５ΔＥ以内、１０ΔＥ以内、２０ΔＥ以内、３０ΔＥ以内、４０ΔＥ以内、１００ΔＥ以内、１５０ΔＥ以内、及び／又はこれらに類する値以内でカラーマッチングすることができる。さらに、センサ窓は、感知スペクトルレンジでの透過率と可視スペクトルレンジでの色選択性との間の鮮鋭な遷移を可能にし、これによって顔料ベースのセンサ窓よりも、センサ素子による感知を改善することができる。
【００７０】
上述の記載は解説及び説明を行うものであるが、排他的であることは意図せず、又は実施形態を記載した詳細形式に限定することは意図しない。変更及び改変は、上述の記載を踏まえて、又は実施形態の実践から知得することができる。
【００７１】
幾つかの実施形態は、本明細書において閾値に関連して説明されている。本明細書で使用するように、閾値を満足することは、閾値を超えている、閾値より多い、閾値より高い、閾値以上、閾値未満、閾値より少ない、閾値より低い、閾値以下、閾値に等しい、等々に言及することがあり得る。
【００７２】
特徴の特別な組合せは特許請求の範囲に記述され及び／又は本明細書に記載されるが、これら組合せは、あり得る実施形態の開示を制限することは意図しない。実際、これら特徴の多くは、特別に特許請求の範囲に記述されていない及び／又は本明細書に記載されていないやり方で組み合わせることができる。特許請求の範囲に列挙する各従属項は１つの請求項にのみ直接従属することができ、あり得る実施形態の開示は請求項におけるすべての他の請求項と組み合わせた各従属項を含む。
【００７３】
本明細書で使用される要素、行為、指示のいずれも、そうであると明示しない限り、厳格又は必須であるものと解すべきではない。本明細書で使用されるような、冠詞「a」及び「an」は１つ又はそれ以上の事項を含むことを意図し、また「１つ又はそれ以上の」と互換的に使用することができる。さらに、本明細書で使用されるような、用語「セット」は１つ又はそれ以上の事項（例えば、関連事項、非関連事項、関連事項及び非関連事項の組合せ、等）を含むことを意図し、また「１つ又はそれ以上の」と互換的に使用することができる。単に１つの事項を意図する場合には、用語「１つ」又は類似の表現を用いる。さらに、本明細書で使用されるような、用語「has」、「have」、「having」、等々は、制約がない事項を意図する。さらにまた、語句「〜に基づく（based on）」は、そうでないと明示しない限りにおいて、「少なくとも部分的に〜に基づく（based, at least, on）」を意味しようとするものである。
【符号の説明】
【００７４】
１１０    車両
１２０    センサ窓
１３０    センサ
１４０    物体
２１０    センサ窓
２２０    基板
２３０    光センサ
２４０    入力光信号
２５０    入力光信号の第１部分
２６０    入力光信号の第２部分
２７０    出力電気信号
３１０    光学フィルタコーティング部分
３２０    基板
３３０-１〜３３０-（Ｎ+１）    第１セットの層
３４０-１〜３４０-Ｎ            第２セットの層
【図１Ａ】
2019191566.tif 000003
【図１Ｂ】
2019191566.tif 000004
【図２】
2019191566.tif 000005
【図３】
2019191566.tif 000006
【図４Ａ】
2019191566.tif 000007
【図４Ｂ】
2019191566.tif 000008
【図４Ｃ】
2019191566.tif 000009
【図４Ｄ】
2019191566.tif 000010
【図４Ｅ】
2019191566.tif 000011
【図５Ａ】
2019191566.tif 000012
【図５Ｂ】
2019191566.tif 000013
【図５Ｃ】
2019191566.tif 000014
【図５Ｄ】
2019191566.tif 000015
【図６Ａ】
2019191566.tif 000016
【図６Ｂ】
2019191566.tif 000017
【図６Ｃ】
2019191566.tif 000018
【図６Ｄ】
2019191566.tif 000019
【図７Ａ】
2019191566.tif 000020
【図７Ｂ】
2019191566.tif 000021
【図７Ｃ】
2019191566.tif 000022
【図８Ａ】
2019191566.tif 000023
【図８Ｂ】
2019191566.tif 000024
【図８Ｃ】
2019191566.tif 000025
【図８Ｄ】
2019191566.tif 000026
【図８Ｅ】
2019191566.tif 000027
【外国語明細書】
2019191566000001.pdf